(57)【特許請求の範囲】
【請求項１】
建築物において上階からの排水を下階に流下させるための排水集合管および前記排水集合管を前記建築物の床スラブに取り付けるときに使用される固定部材からなり、
前記排水集合管は、
前記床スラブよりも上階からの排水を流入させる立管に接続される上部接続部と、
前記排水を前記床スラブの下方に流下させる立管に接続される下部接続部と、
前記上部接続部および前記下部接続部の間においてこれらを連結する本体と、からなり、
前記本体は、
前記上部接続部と前記下部接続部とを結ぶ方向に略直交してその外面から突出し貫通する複数の貫通孔を備えたフランジ部を有し、
前記固定部材は、不燃性の金属で製作され、
前記排水集合管における前記フランジ部から前記下部接続部までの全部または前記下部接続部を含むその一部を収容可能な収容部と、
前記収容部に開口して連通する管状の接続部と、を有し、
前記固定部材が、前記収容部内に前記下部接続部が収容されたときに前記下部接続部と前記接続部とが連通するように形成された
ことを特徴とする排水集合管セット。
【請求項２】
前記固定部材は、固定フランジ部を有し、
前記固定フランジ部は、
前記収容部が前記排水集合管の下部接続部側を収容したときに前記複数の貫通孔のそれぞれにいずれかが重なる雌ネジが刻まれた複数の雌ネジ孔、または前記貫通孔のそれぞれをいずれかが貫通可能な雄ネジが刻まれた複数の棒状突出物が設けられており、
前記固定部材が前記雌ネジ孔の開口または前記棒状突出物を前記床スラブの上面に露出させて前記床スラブに固定可能に形成された
請求項１に記載の排水集合管セット。
【請求項３】
弾性材料で形成された外シール部材をその構成に含み、
前記外シール部材は、
前記フランジ部における複数の貫通孔のそれぞれにいずれかが重なる孔であるボルト挿通孔を有する
請求項２に記載の排水集合管セット。
【請求項４】
前記固定部材は、
前記収容部が前記排水集合管の下部接続部側を収容したときに前記下部接続部の端全周に密着して下部接続部内の排水流路と前記収容部の内部とを隔離する内シール部材を備えた
請求項１ないし請求項３のいずれか１項に記載の排水集合管セット。
【請求項５】
前記排水集合管は、少なくとも前記本体および前記下部接続部が可燃性材料で形成され、
前記固定部材は、
前記収容部が前記排水集合管の下部接続部側を収容したときに収容された前記排水集合管の部分と前記収容部の内面とに空間を有するように形成され、
前記空間となる部分に熱膨張性耐火材が収容された
請求項１ないし請求項４のいずれか１項に記載の排水集合管セット。
【発明の詳細な説明】
【技術分野】
【０００１】
本発明は、高層集合住宅または事務所ビル等において上下階を隔てる床スラブに排水集合管を取り付けるための排水集合管セットに関する。
【背景技術】
【０００２】
高層集合住宅または事務所ビル等では、それぞれの階で生じた排水は、その階の床スラブに固定された排水集合管に集められ、更にその上階から流入する排水とともに下階の立管に送られる。このような排水集合管は、設計上の耐用年数が長いことから容易に取り外すことができないように、セメント、モルタルセメント等の固化して強度を発揮する建材によって床スラブを貫通する孔に固定される。
【０００３】
ところで、近年、ゆとりある住生活を目指して、超長期にわたり循環利用できる住宅の構想がなされている（２００年住宅）。このような超長期にわたり循環利用できる住宅では、その間に間取りの変更がされると排水配管等の位置を変える必要が生じ、また、劣化によって排水配管の取り換えの必要が生ずることが予想される。
排水配管の取り換えに関連する、上階の床スラブに固定された排水集合管から流出する排水を下階の排水集合管に流入させる立管を、切断することなく取り外す技術が特許文献１に開示されている。
【先行技術文献】
【特許文献】
【０００４】
【特許文献１】特開２００９−４６８４８号公報
【発明の概要】
【発明が解決しようとする課題】
【０００５】
排水集合管には、上階からの排水に加えて、その内部で流れ方向が９０度変更される横枝管からの排水も流入する。また、排水中には酸性のもの、固形物を含むもの等があり、排水集合管の内部は、腐食および摩耗が生じやすい。
超長期にわたり循環利用される住宅では、排水集合管についても、その利用期間中に他の配管と同様に更新の必要が生ずる可能性が高い。しかし、現状では、排水集合管の更新（交換）は、床スラブのはつり（削）等大掛かりな作業が必要である。
【０００６】
本発明は、上述の問題に鑑みてなされたもので、大掛かりな作業を必要としないで排水集合管を交換することができる排水集合管セットを提供することを目的とする。
【課題を解決するための手段】
【０００７】
本発明に係る排水集合管セットは、建築物において上階からの排水を下階に流下させるための排水集合管および前記排水集合管を前記建築物の床スラブに取り付けるときに使用される固定部材からなり、前記排水集合管は、前記床スラブよりも上階からの排水を流入させる立管に接続される上部接続部と、前記排水を前記床スラブの下方に流下させる立管に接続される下部接続部と、前記上部接続部および前記下部接続部の間においてこれらを連結する本体と、からなり、前記本体は、前記上部接続部と前記下部接続部とを結ぶ方向に略直交してその外面から突出し貫通する複数の貫通孔を備えたフランジ部を有し、前記固定部材は、不燃性の金属で製作され、前記排水集合管における前記フランジ部から前記下部接続部までの全部または前記下部接続部を含むその一部を収容可能な収容部と、前記収容部に開口して連通する管状の接続部と、を有し、前記固定部材が、前記収容部内に前記下部接続部が収容されたときに前記下部接続部と前記接続部とが連通するように形成される。
【０００８】
上記「前記排水集合管における前記フランジ部から前記下部接続部までの全部または前記下部接続部を含むその一部」とは、フランジ部を含まないフランジ部から下部接続部までの部分を対象とする意である。
好ましくは、前記固定部材は、固定フランジ部を有し、前記固定フランジ部は、前記収容部が前記排水集合管の下部接続部側を収容したときに前記複数の貫通孔のそれぞれにいずれかが重なる雌ネジが刻まれた複数の雌ネジ孔、または前記貫通孔のそれぞれをいずれかが貫通可能な雄ネジが刻まれた複数の棒状突出物が設けられており、前記固定部材が前記雌ネジ孔の開口または前記棒状突出物を前記床スラブの上面に露出させて前記床スラブに固定可能に形成される。
【０００９】
好ましくは、弾性材料で形成された外シール部材をその構成に含み、前記外シール部材は、前記フランジ部における複数の貫通孔のそれぞれにいずれかが重なる孔であるボルト挿通孔を有する。
好ましくは、前記固定部材は、前記収容部が前記排水集合管の下部接続部側を収容したときに前記下部接続部の端全周に密着して下部接続部内の排水流路と前記収容部の内部とを隔離する内シール部材を備える。
【００１０】
前記排水集合管は、少なくとも前記本体および前記下部接続部が可燃性材料で形成され、前記固定部材は、前記収容部が前記排水集合管の下部接続部側を収容したときに収容された前記排水集合管の部分と前記収容部の内面とに空間を有するように形成され、前記空間となる部分に熱膨張性耐火材が収容されたものとすることができる。
【発明の効果】
【００１１】
本発明によると、大掛かりな作業を必要としないで排水集合管を交換することができる排水集合管セットを提供することができる。
【図面の簡単な説明】
【００１２】
【図１】図１は排水集合管の正面図である。
【図２】図２は排水集合管の平面図である。
【図３】図３は固定部材の平面図である。
【図４】図４は内シール部材および外シール部材の平面図である。
【図５】図５は床スラブに取り付けられた排水集合管セットの部分断面図である。
【図６】図６は熱膨張性耐火材が膨張し固定部材の内部を閉塞する様子を示す図である。
【図７】図７は他の排水集合管の概要を示す図である。
【図８】図８は他の排水集合管と組み合わされる固定部材、内シール部材および外シール部材の平面図である。
【図９】図９は他の排水集合管の平面図および他の固定部材の平面図である。
【図１０】図１０は他の固定部材を使用して床スラブに取り付けた排水集合管廻りの部分断面図である。
【図１１】図１１は他の排水集合管の平面図である。
【図１２】図１２は排水集合管に組み合わされる横枝管接続部材およびプラグの部分断面図である。
【発明を実施するための形態】
【００１３】
図１は排水集合管１の正面図、図２は排水集合管１の平面図、図３は固定部材２の平面図、図４は内シール部材３および外シール部材４の平面図、図５は床スラブＦＳに取り付けられた排水集合管セットの部分断面図、図６は熱膨張性耐火材４１が膨張し固定部材２の内部を閉塞する様子を示す図である。
ここで、図３は図５において下方から見た固定部材２を示す。図４において（ａ）は内シール部材３であり、（ｂ）は外シール部材４である。図４（ａ）は、施工されたとき（図５参照）に上（床スラブＦＳ上面）から見た図である。
【００１４】
排水集合管１は、高層集合住宅等において上階からの排水と各階からの排水を合流させ、下階へ流下させていくためのものである。排水集合管１は、本体１１、例えば上階から排水を流下させる立管に接続される上部接続部１２、下方に排水を流出させる下部接続部１３および床スラブＦＳの当該階で発生した排水を流入させる横枝管に接続される横枝管接続部１４，１４からなる。
【００１５】
本体１１は、上部接続部１２および横枝管接続部１４，１４に直接に連続する集水部１５、および上部接続部１２とは反対側で集水部１５に連続し下方で下部接続部に連続する整流部１６からなる。集水部１５は、上部接続部１２および整流部１６のそれぞれの軸心方向が一致するようにこれらに連続している。また、集水部１５には、横枝管接続部１４，１４が、その軸心方向を上部接続部１２および整流部１６のそれぞれの軸心方向に略直交させて連続している。
【００１６】
整流部１６は、直胴部１７およびテーパ部１８からなる。直胴部１７は円筒状の部分であり、一端が集水部１５に連続する。テーパ部１８は、外観が円錐台の中空部分であり、一端が直胴部に連なり、他端に向けて徐々に内径が小さくなる。整流部１６の内部には、例えば流下する排水を旋回させるための旋回羽根が設けられている。
上部接続部１２は、上述したように例えば上階からの排水を流下させる立管に接続される部分であり、排水集合管１においては、断面が円形中空の管で形成され、同じく円形中空の管である立管の端にスライド継手によって接続される。
【００１７】
下部接続部１３は、軸心を整流部１６に一致させてテーパ部１８の他端に連続する円形中空の管状の部分である。
横枝管接続部１４は、排水集合管１においては、２つが軸心を直交させて集水部１５に連続している。横枝管接続部１４は、１つまたは３つ設けられてもよい。
排水集合管１には、整流部１６における直胴部１７の外周に、略矩形の外縁を有する全体として厚板のフランジ部１９が設けられている。フランジ部１９には、平面視（図２）において横枝管接続部１４，１４に重ならない位置に４つのボルト貫通孔２０，２０，２０，２０を備えている。４つのボルト貫通孔２０，２０，２０，２０は、矩形の４隅近傍であって互いにフランジ部１９における中心から等距離の位置に配されている。
【００１８】
排水集合管１は、可燃性樹脂材料、例えばポリ塩化ビニル樹脂で製作される。
排水集合管１は、固定部材２、内シール部材３および外シール部材４等を使用して階と階とを隔てる床スラブＦＳに固定される。
固定部材２は、排水集合管１とともに排水集合管セットを構成する。固定部材２は、集合管収容部２５および集合管固定部２６からなる。集合管収容部２５は、断面が正方形で底を有する角筒状の収容部２７と、収容部２７における底の中央の孔に連通する円筒状（管状）の接続部２８とからなる。収容部２７における底の中央の孔を「連通孔３２」という。連通孔３２は円形であり、その径は、排水集合管１における下部接続部１３の内径に略等しい。
【００１９】
収容部２７は、排水集合管１におけるフランジ部１９から下部接続部１３までを収容可能な大きさを有する。すなわち、収容部２７は、その正方形断面の辺長さが直胴部１７の外径よりも大きく、その深さがフランジ部１９の下部接続部１３側の面から下部接続部１３の端までの長さよりも大きい。
集合管固定部２６は、略正方形で板状の固定フランジ部２９および外観が円柱状の４つのネジ袋部３０で形成される。固定フランジ部２９は、その形状が、フランジ部１９の矩形に略等しい。ネジ袋部３０，…，３０は、固定フランジ部２９の４隅近傍において、固定フランジ部２９の一方の面から突出する。ネジ袋部３０，…，３０は、固定フランジ部２９の他方の面に開口し、雌ネジが施された雌ネジ孔３１，３１，３１，３１を備える。雌ネジ孔３１，３１，３１，３１は、固定フランジ部２９を排水集合管１のフランジ部１９に重ね合わせたとき、その中心がボルト貫通孔２０，２０，２０，２０の中心と一致する位置に配される。
【００２０】
図３を参照して、集合管収容部２５の角（かど）とネジ袋部３０，…，３０とが干渉しあわないように、平面視における集合管収容部２５の形状である正方形と、固定フランジ部２９の形状である正方形とは、４５度ずらされている。
以上のように、固定部材２の各部寸法は、組み合わされる排水集合管１の大きさとの関係で決定される。
【００２１】
固定部材２は、例えば、ねずみ鋳鉄、球状黒鉛鋳鉄等の鋳物や鋼、ステンレス鋼等の強度があり、耐火性を有する金属製材料で製作される。
内シール部材３は、図４（ａ）を参照して、外観が正方形の厚板状であり、中央に貫通孔が設けられている。内シール部材３の外観形状である正方形の大きさは、固定部材２における収容部２７の内面断面の正方形と同じまたはわずかに小さい。貫通孔は、一方の表面に開口し同一径で内方に続く下部収容孔３５と、内方で下部収容孔３５に段を形成して連続し径が一定で他方の表面に開口する流出孔３６とからなる。下部収容孔３５は、排水集合管１における下部接続部１３の外径に略等しい径を有する。流出孔３６は、その径が、固定部材２における接続部２８の内径に略等しい。
【００２２】
内シール部材３は、合成ゴム、天然ゴムもしくはこれらの混合物等の弾性を有する材料、またはシリコンゴム等の不燃性であって弾性を有する材料で形成される。
外シール部材４は、厚めの防震性および水密性を有する弾性材料で形成され、図４（ｂ）を参照して、その外観が排水集合管１におけるフランジ部１９と略等しい。外シール部材４は、フランジ部１９におけるボルト貫通孔２０，…，２０が設けられた位置と同じ位置に、４つのボルト挿通孔３７，３７，３７，３７が設けられている。また、外シール部材４は、中心を貫通する挿通孔３８を有する。挿通孔３８は、収容部２７の内面の正方形断面と略等しい形状と大きさである。外シール部材４は、例えばシリコンゴム等の不燃性材料で製作される。
【００２３】
次に、図５を参照して、固定部材２を用いた床スラブＦＳへの排水集合管１の取り付け作業（施工方法）を説明する。
排水集合管１を取り付けるための、床スラブＦＳに貫通させた集合管取付孔ＡＳに、固定部材２を固定させる。固定部材２は、床スラブＦＳの上面側から接続部２８を先に集合管取付孔ＡＳに挿入され、セメント、モルタルセメント等によって固定される。
【００２４】
次に、排水集合管１は、下部接続部１３およびテーパ部１８が外シール部材４の挿通孔３８に差し入れられる。続いて、排水集合管１は、下部接続部１３の先端部分が内シール部材３の下部収容孔３５に嵌め入れられ、嵌め入れられた内シール部材３とフランジ部１９との間の外周に、熱膨張性耐火材４１が巻かれる。なお、排水集合管１の外周に巻かれる熱膨張性耐火材４１は、収容部に収容されたとき、断面円形のテーパ部１８等と断面正方形の収容部２７との隙間（特に収容部２７の４隅）を埋めることができるように留意して巻かれる。または、排水集合管１を固定部材２に挿入する前に、固定部材２の集合管収容部２５の内部に、内シール部材３とともに設置しておいても良い。
【００２５】
ここで使用される熱膨張性耐火材４１は、熱膨張黒鉛を含有するゴム系材料、樹脂製材料などで形成され、温度が２００℃以上になったときに熱膨張してその体積が５〜４０倍に膨張するものである。熱膨張性耐火材４１として、積水化学工業株式会社の商品「フィブロック」（登録商標）が市販されている。
この他に、温度１２０℃から熱膨張を開始し体積が４倍以上に膨張する因幡電機産業株式会社製の商品「熱膨張性耐熱シール材ＩＰ」、温度８５０℃で３０分加熱後に発泡して４倍以上に膨張するニチアス株式会社製の商品「バーモフレックス」（登録商標）、および温度１２０℃で変性が開始され温度２６０℃で顕著に膨張し最終的に体積が４〜８倍になる株式会社古河テクノマテリアル製の商品「ヒートメル」（登録商標）等を熱膨張性耐火材４１として使用できる。熱膨張性耐火材４１は、上記したものに限られず、同等の機能を有する種々のものを使用することができる。
【００２６】
このようにして準備された排水集合管１は、下部接続部１３を先にして、床スラブＦＳの上面側から集合管収容部２５内に挿入される。このとき、内シール部材３および熱膨張性耐火材４１も排水集合管１とともに収容部２７内に入れられる。
外シール部材４のボルト挿通孔３７，…，３７、フランジ部１９のボルト貫通孔２０，…，２０を固定部材２の雌ネジ孔３１，…，３１に一致させた後、ボルト貫通孔２０，…，２０およびボルト挿通孔３７，…，３７を貫通させた４本の固定ボルト４２，４２がそれぞれ雌ネジ孔３１，…，３１に螺合され、締め付けられて排水集合管１が床スラブＦＳに取り付けられる。
【００２７】
収容部２７内においては、内シール部材３は、下部収容孔３５の内周面が下部接続部１３の先端全周に密着し、下部収容孔３５と流出孔３６との径の違いで生じた段が下部接続部１３の先端の端面に密着する。また、内シール部材３は、その外側面が固定部材２の内面に密着する。内シール部材３によって、下部接続部１３の排水の流路は、収容部２７の内部と隔離（シール）される。
【００２８】
最後に、固定部材２における床スラブＦＳの下面近傍の露出部分の表面にグラスウール等の断熱材４３が取り付けられる。
なお、床スラブＦＳから断熱材４３が飛び出す必要はなく、集合管取付け孔ＡＳ内に納まる様に設置されていても良い。
床スラブＦＳに取り付けられた固定部材２における接続部２８には、下階に配される立管５における受け口となった端５１が接続される。
【００２９】
床スラブＦＳからの排水集合管１の取り外しは、上に説明した取り付け作業の前後を入れ替えて行うことができる。
排水集合管１は、直接に床スラブＦＳにセメント、モルタル等により埋め込まれるのではなく、床スラブＦＳに固着された固定部材２にボルト締めされることにより間接的に床スラブＦＳに固定される。そのため、排水集合管１は、取り付けのためのセメント等の施工、養生等が不要であり、かつ取り外しにセメントのはつり（削）等の作業が不要である。固定部材２と組み合わされた排水集合管１は、大掛かりな作業を必要としないで取り付けおよび取り外しが可能である。
【００３０】
固定部材２を使用して設置された排水集合管１は、耐用年数が経過したときの交換が容易であるほか、間取りの変更等で接続する横枝管が増加した場合、接続される横枝管の数に合わせた横枝管接続部１４を備える排水集合管に容易に交換することができる。排水集合管１は樹脂で製作され、交換工事が容易であることから安価に交換が可能である。
なお、防火区画となる床スラブＦＳにおいて別途延焼防止策が施される場合等には、固定部材２の内部に熱膨張性耐火材４１を配しない選択が可能である。
【００３１】
また、排水集合管１は、外シール部材４を介して固定部材２に固定される。そのため、排水集合管１が施工された床スラブＦＳでは、排水集合管１から伝わる不快な騒音および震動が弱められ、住居または仕事場に快適な環境を提供することができる。
固定部材２を床スラブＦＳに埋め込むのではなく、床スラブＦＳに打ち込まれた例えば雌ネジを有するアンカープラグにボルト締めして床スラブＦＳに固定してもよい。
【００３２】
また、熱膨張性耐火材４１を有する固定部材２は、固定部材２の接続部２８に接続される下階の立管として可燃性材料で製作されたものを使用することができる。
図６は熱膨張性耐火材４１が下階から上階への延焼を防止する様子を示す図である。
熱膨張性耐火材４１を有する固定部材２によって排水集合管１が床スラブＦＳに取り付けられた構造では、下階に火災が発生して可燃性の立管５が燃焼し、火炎が固定部材２内に進入すると、可燃性材料で製作された排水集合管１の下部（下部接続部１３およびテーパ部１８）が軟化または焼失する。このとき、火炎の熱により熱膨張性耐火材４１は内方に膨張する。固定部材２は、収容部２７に底４６を有するので膨張した熱膨張性耐火材４１が底４６により保持され、脱落することなく有効に収容部２７内に充満して上下階を遮断する。
【００３３】
このように、熱膨張性耐火材４１を有する固定部材２を使用して排水集合管１を床スラブＦＳに固定する構造は、下階に生じた火事が、上階に燃え広がるのを防止することができる。
図７は他の排水集合管１Ｂの概要を示す図、図８は排水集合管１Ｂと組み合わされる固定部材２Ｂ、内シール部材３Ｂおよび外シール部材４Ｂの平面図である。図７において（ａ）は平面図、（ｂ）は正面図である。図８において（ａ）は固定部材２Ｂ、（ｂ）は内シール部材３Ｂ、（ｃ）は外シール部材４Ｂである。
【００３４】
固定部材２Ｂは、図８（ａ）に示されるように収容部２７Ｂが円筒状である点で、上述した固定部材２と異なる。そのため、収容部２７Ｂは固定フランジ部２９の投影内に納まり、排水集合管１のフランジ部１９Ｂの形状および外シール部材４Ｂの形状は、固定フランジ部２９の形状と略同じである（図７（ａ）、図８（ｃ）参照）。
また、内シール部材３Ｂの収容部２７Ｂの内方空間の断面が円形であるので、内シール部材３Ｂの外観は、円形の厚板状である（図８（ｂ）参照）。
【００３５】
排水集合管１Ｂ、および排水集合管１Ｂを床スラブＦＳに固定するとき使用される固定部材２Ｂ、内シール部材３Ｂ、外シール部材４Ｂのその他の構成は、上述した排水集合管１、内シール部材３および外シール部材４におけるものと同一であり、図７，８においてこれらと同じ符合を付しその説明を省略する。
固定部材２Ｂおよび排水集合管１Ｂの組合せは、熱膨張性耐火材の収納スペースが相対的に狭くなるが、上述した固定部材２および排水集合管１の組合せが奏する効果と同じ効果を奏する。
【００３６】
図９は他の排水集合管１Ｃの平面図（ａ）および他の固定部材２Ｃの平面図（ｂ）である。
排水集合管１Ｃは、そのフランジ部１９Ｃが円形である。固定部材２Ｃは、その固定フランジ部２９Ｃの形状が、フランジ部１９Ｃの形状に合わせた円形である。また、固定部材２Ｃは、雌ネジ孔３１，…，３１がそれぞれ独立したネジ袋部に設けられるのではなく、収容部２７Ｂ側に突出するリング状のネジ袋部３０Ｃに設けられた点で、固定部材２Ｂと異なる。固定フランジ部２９Ｃおよびネジ袋部３０Ｃで集合管固定部２６Ｃが形成される。
【００３７】
排水集合管１Ｃおよび固定部材２Ｃのその他の構成は、排水集合管１Ｂおよび固定部材２Ｂにおけるものと同じであり、その説明を省略する。また、図９において図５と同じ符合を付した部分は、図５におけるものとその構成が同じである。
図１０は他の固定部材２Ｄを使用して床スラブＦＳに取り付けた排水集合管１Ｃ廻りの部分断面図である。
【００３８】
固定部材２Ｄは、上述した固定部材２Ｃにおけるネジ袋部３０Ｃを固定フランジ部２９Ｄに有しない点で、固定部材２Ｃと異なる。固定フランジ部２９Ｄは、円筒状の収容部２７Ｂに直接に連続する肉厚円環状の部分である。固定部材２Ｄにおいては、固定フランジ部２９Ｄは、他の固定部材２，２Ｂ，２Ｃにおける固定フランジ部２９と異なり、排水集合管１Ｃを集合管取付孔ＡＳ内に固定する機能を有しない。固定部材２Ｄは、床スラブＦＳの集合管取付孔ＡＳに挿入され、セメント、モルタルセメント等によって固定される。
【００３９】
排水集合管１Ｃは、床スラブＦＳ上面の集合管取付孔ＡＳ廻りに打ち込まれたアンカープラグ４７，４７に、フランジ部１９Ｃのボルト貫通孔２０，２０を貫通させた固定ボルト４８，４８を螺合させ締め付けることにより床スラブＦＳに固定される。
このとき用いられる内シール部材３Ｂおよび外シール部材４Ｂは、それぞれ固定部材２Ｂにおけるもの（図８（ｂ），（ｃ））である。固定部材２Ｄの収容部２７Ｂ内には、熱膨張性耐火材４１が収容される。
【００４０】
固定部材２Ｄのその他の構成は、上述した固定部材２Ｃにおけるものと同じであり、その説明を省略する。また、図１０において図５と同じ符合を付した部分は、図５におけるものとその構成が略同じである。
固定部材２Ｄおよびアンカープラグ４７，４７を使用しての排水集合管１Ｃの床スラブＦＳへの取り付けは、排水集合管１Ｃの取り外しにセメントのはつり等の作業が不要である。固定部材２Ｄと組み合わされた排水集合管１は、大掛かりな作業を必要としないで床スラブＦＳへの取り付けが可能である。排水集合管１Ｃは、外シール部材４Ｂを介して床スラブＦＳに固定される。排水集合管１Ｃが施工された床スラブＦＳでは、排水集合管１Ｃから伝わる不快な騒音および震動が弱められ、住居または仕事場に快適な環境を提供することができる。
【００４１】
固定部材２Ｄを使用して設置された排水集合管１Ｃは、交換が容易であり、後に、接続される横枝管の数を増加するとき、横枝管の数に合わせた横枝管接続部１４を備える排水集合管に容易にかつ安価に交換することができる。
図１１は他の排水集合管１Ｅの平面図、図１２は排水集合管１Ｅに組み合わされる横枝管接続部材１４Ｅａ，１４Ｅｂおよびプラグ１４Ｅｐの部分断面図である。
【００４２】
排水集合管１Ｅは、上部接続部１２および整流部１６のそれぞれの軸心方向に略直交し、互いに９０度間隔の軸心を有する４つの嵌合孔２１Ｅ，２１Ｅ，２１Ｅ，２１Ｅが、本体１１Ｅの集水部１５Ｅに設けられている。嵌合孔２１Ｅは、断面が円形で、集水部１５Ｅ内の排水流路と外部とを連通させる。４つの嵌合孔２１Ｅ，２１Ｅ，２１Ｅ，２１Ｅは、その内径が等しい。
【００４３】
嵌合孔２１Ｅには、横枝管接続部材１４Ｅａ，１４Ｅｂまたはプラグ１４Ｅｐが嵌め入れられている。
横枝管接続部材１４Ｅａ，１４Ｅｂは、いずれも円管状の嵌入部２２Ｅおよび横枝管挿入部２３Ｅａ（２３Ｅｂ）からなる。嵌入部２２Ｅは、その外径が嵌合孔２１Ｅの径に略等しい。横枝管挿入部２３Ｅａ，２３Ｅｂは、その内部に横枝管を嵌め入れるためのものであり、横枝管の外径（規格）に合わせて種々の内径のものが用意される。例えば、図１２（ａ）に示される横枝管接続部材１４Ｅａは大きな外径の横枝管を嵌め入れることができ、図１２（ｂ）に示される横枝管接続部材１４Ｅｂは小さな外径の横枝管を嵌め入れることができる。
【００４４】
プラグ１４Ｅｐは、排水集合管１Ｅにおける使用しない嵌合孔２１ＥＤを閉じるために使用される。プラグ１４Ｅｐは、円管状の嵌入部２２Ｅｐおよび栓部２４Ｅからなる。嵌入部２２Ｅｐは、外径が嵌合孔２１Ｅの径に略等しい。栓部２４Ｅは、嵌入部２２Ｅｐの外径よりも大きな径を有する円形、厚板状の部分である。栓部２４Ｄは、嵌入部２２Ｅｐの一方の開口を閉じ、嵌入部２２Ｅｐと一体成形されて製造される。
【００４５】
横枝管接続部材１４Ｅａ，１４Ｅｂおよびプラグ１４Ｅｐは、排水集合管と同じ可燃性材料、例えばポリ塩化ビニル樹脂で製作される。横枝管接続部材１４Ｅａ，１４Ｅｂおよびプラグ１４Ｅｐは、必要に応じて嵌入部２２Ｅ，２２Ｅｐが嵌合孔２１Ｅに嵌め入れられ、接着剤で固着されることにより排水集合管１Ｅと一体化される。
排水集合管１Ｅは、接続される横枝管の径に応じた横枝管挿入部２３Ｅａ，２３Ｅｂを有する横枝管接続部材１４Ｅａ，１４Ｅｂを施工現場で選択して一体化し、不要な嵌合孔２１Ｅをプラグ１４Ｅｐで閉じることができる。そして、この作業を、接着剤で容易に行うことができる。
【００４６】
排水集合管１Ｅは、横枝管接続部材１４Ｅａ，１４Ｅｂまたはプラグ１４Ｅｐと組み合わせることにより、設置場所ごとに異なる多様なニーズに応えることができる。このような排水集合管１Ｅは、例えば固定部材２と組み合わせることにより、排水集合管１と同様に、床スラブＦＳへの固定が容易であり、更新、変更時にもその作業を簡便に行うことができる。
【００４７】
上述の実施形態において、いずれの場合においても、固定部材２，２Ｂ，２Ｃ，２Ｄの内部に熱膨張性耐火材４１を配しない選択が可能である。
フランジ部１９，１９Ｂ，１９Ｃは、他の形態としてもよい。ボルト貫通孔２０は、フランジ部１９，１９Ｂ，１９Ｃの端縁に設けられた切り欠きとして形成してもよい。固定部材２，２Ｂ，２Ｃ，２Ｄの形状および床スラブＦＳへの固定方法を、上述した以外のものとすることができる。排水集合管１，１Ｂ，１Ｃ内を流下する排水による騒音および震動を問題としない使用場所では、外シール部材４，４Ｂを使用しないで排水集合管１，１Ｂ，１Ｃを固定部材２，２Ｂ，２Ｃ，２Ｄに取り付けてもよい。いずれの場合であっても、排水集合管１，１Ｂ，１Ｃ，１Ｅは、床スラブＦＳへの取り付けおよび取り外しを簡便な作業で行うことができる。
【００４８】
排水集合管１，１Ｂ，１Ｃ，１Ｅの固定部材２，２Ｂ，２Ｃ，２Ｄへの取り付けまたは床スラブＦＳへの直接的な取り付けは、上述した固定ボルト４２，４８による方法以外の他の方法で行うことができる。例えば、固定部材２，２Ｂ，２Ｃ，２Ｄにおける雌ネジ孔３１の位置に埋込ボルト（雄ネジが刻まれた棒状突出物）を配し、または床スラブＦＳに雄ネジタイプのアンカーボルトを打ち込み、これらにナットを螺合させることにより排水集合管１，１Ｂ，１Ｃ，１Ｅを取り付けてもよい。排水集合管１，１Ｂ，１Ｃ，１Ｅにおけるボルト貫通孔２０に固定ボルト４２，４８以外の、これに類する一体化および分離が容易な部材を貫通させて排水集合管１，１Ｂ，１Ｃ，１Ｅを取り付けることができる。
【００４９】
その他、排水集合管１，１Ｂ，１Ｃ，１Ｅおよび固定部材２，２Ｂ，２Ｃ，２Ｄの各構成または全体の構造、形状、寸法、個数、材質等は、本発明の趣旨に沿って適宜変更することができる。
【産業上の利用可能性】
【００５０】
本発明は、高層集合住宅または事務所ビル等において上下階を隔てる床スラブに排水集合管を取り付けるための排水集合管セットに利用することができる。
【符号の説明】
【００５１】
１，１Ｂ，１Ｃ，１Ｅ  排水集合管
２，２Ｂ，２Ｃ，２Ｄ  固定部材
３，３Ｂ  内シール部材
４，４Ｂ  外シール部材
５  立管
１１  本体
１２  上部接続部
１３  下部接続部
１９，１９Ｂ，１９Ｃ  フランジ部
２０  ボルト貫通孔（貫通孔）
２７，２７Ｂ  収容部
２８  接続部
２９，２９Ｄ  固定フランジ部
３１  雌ネジ孔
３７  ボルト挿通孔
４１  熱膨張性耐火材
ＦＳ  床スラブ
【図１】
0005604145.tif 000002
【図２】
0005604145.tif 000003
【図３】
0005604145.tif 000004
【図４】
0005604145.tif 000005
【図７】
0005604145.tif 000006
【図８】
0005604145.tif 000007
【図９】
0005604145.tif 000008
【図１１】
0005604145.tif 000009
【図１２】
0005604145.tif 000010
【図５】
0005604145.tif 000011
【図６】
0005604145.tif 000012
【図１０】
0005604145.tif 000013